(57)【要約】【課題】気密性に優れ、容器本体と蓋体との間の隙間が確実に閉じられているのかどうかを目視で確認することのできる気密容器を提供する。【解決手段】上面に化粧料収容凹部１ａが形成されたレフィルケース１と、このレフィルケース１の上面を蓋するレフィル蓋２と、レフィルケース１とレフィル蓋２との間に設けられるパッキン１８とを備えている。そして、上記レフィルケース１の周側壁１１の上端部外周面の相対向する両側辺に、内側に向かって下り傾斜状に傾斜する外周傾斜面１２ａを形成し、これら両外周傾斜面１２ａに対応する上記レフィル蓋２の周側壁１５の下端部内周面の相対向する両側辺に、閉蓋状態で上記レフィルケース１の両外周傾斜面１２ａに着脱自在に係合して気密状に当接する内周傾斜面１７ａを形成している。【選択図】図３
2006061668.tif 000002
【特許請求の範囲】
【請求項１】
上面に化粧料収容凹部が形成された容器本体と、この容器本体の上面を蓋する蓋体と、上記容器本体と蓋体との間に設けられる気密用弾性部材とを備え、上記容器本体の周側壁の上端部周面の相対向する両側辺に第１傾斜面を形成し、これら両第１傾斜面に対応する上記蓋体の周側壁の下端部周面の相対向する両側辺に、閉蓋状態で上記容器本体の両第１傾斜面に着脱自在に係合して気密状に当接する第２傾斜面を形成したことを特徴とする気密容器。
【請求項２】
上記容器本体の周側壁の上端部外周面の相対向する両側辺に、内側に向かって下り傾斜状に傾斜する第１傾斜面を形成し、これら両第１傾斜面に対応する上記蓋体の周側壁の下端部内周面の相対向する両側辺に第２傾斜面を形成し、もしくは上記容器本体の周側壁の上端部内周面の相対向する両側辺に、外側に向かって下り傾斜状に傾斜する第１傾斜面を形成し、これら両第１傾斜面に対応する上記蓋体の周側壁の下端部外周面の相対向する両側辺に第２傾斜面を形成した請求項１記載の気密容器。
【請求項３】
上記第１傾斜面を上記容器本体の周側壁の上端部外周面の全周に形成し、上記第２傾斜面を上記蓋体の周側壁の下端部内周面の全周に形成し、もしくは上記第１傾斜面を上記容器本体の周側壁の上端部内周面の全周に形成し、上記第２傾斜面を上記蓋体の周側壁の下端部外周面の全周に形成し、上記容器本体の一側に蓋体をヒンジ連結し、このヒンジ連結部の回転中心位置を上記容器本体の上端部にもしくは上端部よりも低く設定した請求項２記載の気密容器。
【請求項４】
上記容器本体の第１傾斜面の高さが１．５〜３．５ｍｍの範囲であり、鉛直方向に対する傾斜角度が４〜１５°の範囲である請求項１〜３のいずれか一記載の気密容器。
【発明の詳細な説明】
【技術分野】
【０００１】
本発明は、揮発性の高い化粧料等の内容物を収容するのに適した気密容器に関するものである。
【背景技術】
【０００２】
従来から、揮発性成分を含有する化粧料等を収容する化粧料容器等の気密容器として、その内部の気密性を保つために、各種の化粧料容器が提案されているが、このようなものとして、例えば、図７に示すコンパクト容器がある。このコンパクト容器は、上面中央に皿部３１ａが形成されこの皿部３１ａに化粧料３３が充填された容器本体３１と、この容器本体３１の上面を蓋する蓋体３２とを備えており、上記容器本体３１の後端部に設けたヒンジ部３１ｂに、上記蓋体３２の後端部に設けたヒンジ部３２ａを回動軸３４を介して枢着するようにしている。また、閉蓋時には、上記容器本体３１の前端部に設けた係合突起３１ｃと、上記蓋体３２の前端部に設けた係合爪３２ｂとが着脱自在に係合しており、かつ、上記蓋体３２の天面に固定した環状ガスケット３５が容器本体３１の皿部３１ａの外周部に圧着して容器本体３１内を気密状態に保持するようにしている（例えば、特許文献１参照）。
【特許文献１】特開平１０−２７２０１２号公報
【発明の開示】
【発明が解決しようとする課題】
【０００３】
しかしながら、上記のコンパクト容器では、閉蓋時に、容器本体３１の後端部のヒンジ部３１ｂと蓋体３２の後端部のヒンジ部３２ａとの枢着、および容器本体３１の前端部の係合突起３１ｃと蓋体３２の前端部の係合爪３２ｂとの係合だけで、上記容器本体３１に蓋体３２を閉蓋，固定しているため、上記枢着および係合により強く固定されている部分以外の部分（すなわち、強く固定されていない部分）では、上記容器本体３１と蓋体３２との間に隙間ができやすくなるうえ、上記蓋体３２により環状ガスケット３５を押圧する力が弱くなり、気密性に劣る。
【０００４】
本発明は、このような事情に鑑みなされたもので、気密性に優れた気密容器の提供をその目的とする。
【課題を解決するための手段】
【０００５】
上記の目的を達成するため、本発明の気密容器は、上面に化粧料収容凹部が形成された容器本体と、この容器本体の上面を蓋する蓋体と、上記容器本体と蓋体との間に設られる気密用弾性部材とを備え、上記容器本体の周側壁の上端部周面の相対向する両側辺に第１傾斜面を形成し、これら両第１傾斜面に対応する上記蓋体の周側壁の下端部周面の相対向する両側辺に、閉蓋状態で上記容器本体の両第１傾斜面に着脱自在に係合して気密状に当接する第２傾斜面を形成したという構成をとる。
【発明の効果】
【０００６】
すなわち、本発明の気密容器は、上面に化粧料収容凹部が形成された容器本体と、この容器本体の上面を蓋する蓋体と、上記容器本体と蓋体との間に設られる気密用弾性部材とを備え、上記容器本体の周側壁の上端部周面の相対向する両側辺に第１傾斜面を形成し、これら両第１傾斜面に対応する上記蓋体の周側壁の下端部周面の相対向する両側辺に、閉蓋状態で上記容器本体の両第１傾斜面に着脱自在に係合して気密状に当接する第２傾斜面を形成している。このように、本発明の気密容器では、閉蓋時に、上記容器本体の周側壁の上端部周面の相対向する両側辺に形成した第１傾斜面と、上記蓋体の周側壁の下端部周面の相対向する両側辺に形成した第２傾斜面とを、気密状に当接させるようにしているため、上記両側辺で、容器本体の周側壁と蓋体の周側壁との間の隙間をなくすことができるうえ、（上記容器本体と蓋体との間に設けた）気密用弾性部材を容器本体，蓋体で強い力で挟圧することができ、優れた気密性を有する。
【０００７】
上記容器本体の周側壁の上端部外周面の相対向する両側辺に、内側に向かって下り傾斜状に傾斜する第１傾斜面を形成し、これら両第１傾斜面に対応する上記蓋体の周側壁の下端部内周面の相対向する両側辺に第２傾斜面を形成し、もしくは上記容器本体の周側壁の上端部内周面の相対向する両側辺に、外側に向かって下り傾斜状に傾斜する第１傾斜面を形成し、これら両第１傾斜面に対応する上記蓋体の周側壁の下端部外周面の相対向する両側辺に第２傾斜面を形成した場合には、上記容器本体の周側壁の上端部外周面と上記蓋体の周側壁の下端部内周面もしくは上記容器本体の周側壁の上端部内周面と上記蓋体の周側壁の下端部外周面を利用し、上記両周側壁間の気密性を保持することができる。特に、上記容器本体の周側壁の上端部外周面の相対向する両側辺に、内側に向かって下り傾斜状に傾斜する第１傾斜面を形成し、これら両第１傾斜面に対応する上記蓋体の周側壁の下端部内周面の相対向する両側辺に第２傾斜面を形成した場合には、上記蓋体を閉じた際に、蓋体の周側壁の下端部が容器本体の周側壁の上端部に位置している（すなわち、蓋体の周側壁の下端縁が容器本体の周側壁の上端縁より下側に位置している）ことで、上記両第１傾斜面と両第２傾斜面とが係合，当接していることを確認することができることから、上記容器本体に蓋体が確実に固定されているのかどうかを、外部から目視で確認することができる。
【０００８】
上記第１傾斜面を上記容器本体の周側壁の上端部外周面の全周に形成し、上記第２傾斜面を上記蓋体の周側壁の下端部内周面の全周に形成し、もしくは上記第１傾斜面を上記容器本体の周側壁の上端部内周面の全周に形成し、上記第２傾斜面を上記蓋体の周側壁の下端部外周面の全周に形成し、上記容器本体の一側に蓋体をヒンジ連結し、このヒンジ連結部の回転中心位置を上記容器本体の上端部にもしくは上端部よりも低く設定すると、上記容器本体の周側壁の上端部外周面および上記蓋体の周側壁の下端部内周面の全周にわたって、もしくは上記容器本体の周側壁の上端部内周面および上記蓋体の周側壁の下端部外周面の全周にわたって、上記両周側壁間の隙間をなくすことができるうえ、気密用弾性部材の外周部をその全周にわたって容器本体，蓋体で強い力で挟圧することができ、確実に容器本体内を気密状態に保持することができる。しかも、上記容器本体の一側に蓋体をヒンジ連結し、このヒンジ連結部の回転中心位置を上記容器本体の上端部にもしくは上端部よりも低く設定しているため、閉蓋時および開蓋時における容器本体と蓋体との係合がスムーズに行え、上記両第１傾斜面と両第２傾斜面との係合，当接状態が、上記容器本体の周側壁の上端部外周面もしくは上端部内周面の相対向する両側辺（すなわち、これら両側辺に対応する上記蓋体の下端部内周面もしくは下端部外周面の相対向する両側辺）できつすぎたり、緩すぎたりすることがない。最適は、上記回転中心位置が蓋体の周側壁の下端部に設定されているときであり、容器本体の周側壁の上端部より高く設定されると、上記係合がスムーズに行いにくく、上記係合，当接状態は、上記両側辺の一側辺できつすぎ、他側辺で緩すぎるようになるおそれがある。
【０００９】
上記容器本体の第１傾斜面の高さが１．５〜３．５ｍｍの範囲であり、鉛直方向に対する傾斜角度が４〜１５°の範囲であると、第１傾斜面の高さが長いうえ、勾配がなだらかであるため、容器本体に蓋体が固定されている時と、固定されていない時の状況を目視で確実に確認することができる。しかも、上記容器本体の第１傾斜面の高さが長すぎないため、上記両第１傾斜面と両第２傾斜面との当接部分が長くなりすぎず、小さな抵抗力しか発生しないことから、閉蓋状態の蓋体をスムーズに開蓋することができる。
【発明を実施するための最良の形態】
【００１０】
つぎに、本発明の実施の形態を図面にもとづいて詳しく説明する。
【００１１】
図１および図２は本発明の気密容器の一実施の形態を示している。この実施の形態では、気密容器として、コンパクト容器に収容して用いられる詰め替え用のレフィル容器が用いられている。これらの図において、１は上面に化粧料収容凹部１ａが形成されこの化粧料収容凹部１ａに揮発性化粧料３（図２参照）が収容された合成樹脂製のレフィルケース（容器本体）で、２は上記容器本体１の上面を蓋する合成樹脂製のレフィル蓋（蓋体）である。図１および図２において、４は開閉時に利用される前側凸部である。
【００１２】
上記レフィルケース１は、略四角形の皿状体に形成されており、この皿状体を構成する（すなわち、内部に化粧料収容凹部１ａが形成される）周側壁１１の上端部外周面がその全周にわたって切り欠き形成されているとともに、この切り欠き部１２の外周面が、その外周面の全周にわたって、かつその外周面の上端縁から下端縁にかけて、内側に向かって下り傾斜状に傾斜する外周傾斜面（第１傾斜面）１２ａに形成されている（図３参照）。この外周傾斜面１２ａの（鉛直方向の）高さＬ1 は１．５〜３．５ｍｍの範囲に設定されており、鉛直方向に対する傾斜角度θ1 は４〜１５°の範囲に設定されている。また、上記レフィルケース１には、その周側壁１１の後壁中央部の外周面から後方に向かって左右一対の突片１３が突設されており、これら両突片１３間に円柱状のヒンジ軸１３ａが架設されている。このヒンジ軸１３ａの軸心（回転中心位置）１３ｂの高さは、後述するレフィル蓋２の周側壁１５の下端面１５ａと略同じ高さに設定されている。図１において、１ｂは上記レフィルケース１の４つの角部から突設された蓋押さえ材である。
【００１３】
上記レフィル蓋２は、上記レフィルケース１の化粧料収容凹部１ａを蓋する略四角形平板状の天板部１４と、この天板部１４の下面（の上記切り欠き部１２に対応する部分）から突設された略四角形枠状の周側壁１５と、この周側壁１５の後壁中央部の外周面から後方に向かって突設された断面形状略Ｕ字状（円筒体から、その軸方向の全幅にわたって、円筒体の後壁〔略１／４円弧状部分〕を切り欠き形成した形状）のヒンジ連結部１６とからなり、このヒンジ連結部１６が上記レフィルケース１のヒンジ軸１３ａに回動自在で、かつ着脱自在に支受されている。
【００１４】
また、上記レフィル蓋２の周側壁１５の下部内周面がその全周にわたって切り欠き形成されているとともに、この切り欠き部１７の内周面が、その内周面の全周にわたって、かつその内周面の上端縁から下端縁にかけて、内側に向かって下り傾斜状に傾斜する内周傾斜面（第２傾斜面）１７ａに形成されている（図３参照）。この内周傾斜面１７ａの（鉛直方向の）高さＬ2 は１．５〜３．５ｍｍの範囲に設定されており、鉛直方向に対する傾斜角度θ2 は４〜１５°の範囲に設定されている。このような内周傾斜面１７ａは、上記レフィルケース１の外周傾斜面１２ａに対し逆勾配形状に形成されており、閉蓋状態で、上記レフィルケース１の外周傾斜面１２ａとレフィル蓋２の内周傾斜面１７ａとが着脱自在に係合し、かつ気密状に当接するようにしている。
【００１５】
また、上記レフィル蓋２には、その周側壁１５の上部内周面に沿って、略四角形環状のシリコンゴム製のパッキン（気密用弾性部材）１８が配設されており、上記天板部１４の下面に接着等により固定されたパッキン押さえ材１９により固定されている。このパッキン押さえ材１９は、略四角形平板状の押さえ部１９ａと、この押さえ部１９ａの上面から突設され上記天板部１４の下面に接着等により固定される略四角形枠状の脚部１９ｂとからなり、上記押さえ部１９ａの外周部上面から突設される略四角形枠状の先鋭突起１９ｃで上記パッキン１８が押圧，固定されている。
【００１６】
上記の構成において、閉蓋時には、上記レフィルケース１の外周傾斜面１２ａがレフィル蓋２の内周傾斜面１７ａに着脱自在に係合して気密状に当接しており、この当接により上記両傾斜面１２ａ，１７ａの全周でレフィルケース１の内部が気密状態に保持されている。また、上記パッキン１８の外周部の下面がレフィルケース１の周側壁１１の上端面に押圧状に当接しており、この当接によってもレフィルケース１の内部が気密状態に保持されている。
【００１７】
このように、上記実施の形態では、閉蓋時には、レフィルケース１の外周傾斜面１２ａとレフィル蓋２の内周傾斜面１７ａとの全周でレフィルケース１の内部が気密状態に保持されており、優れた気密性を有する。しかも、レフィル蓋２によりパッキン１８の外周部がその全周にわたって強い力で押圧されて、レフィルケース１の周側壁１１の上端面に押圧状に当接しており、確実にレフィルケース１内を気密状態に保持することができる。しかも、上記両傾斜面１２ａ，１７ａを着脱自在に係合して気密状に当接させているため、上記レフィル蓋２の下端縁が上記レフィルケース１の上端面より下側に位置していることを目視することで、上記レフィルケース１にレフィル蓋２が固定されていることを確実に確認することができる。
【００１８】
図４は本発明の気密容器の他の実施の形態を示している。この実施の形態では、レフィルケース１の周側壁１１の外周面にその全周にわたって、この外周面との間に所定の隙間をあけた状態でＬ字状の外周側壁（周側壁）２１が突設されている。この外周側壁２１は、上記レフィルケース１の外周面の全周から水平に延びる横壁２１ａと、この横壁２１ａの外周縁部の全周から上方に向かって垂直に延びる縦壁２１ｂとからなっており、この縦壁２１ｂの上端部内周面には、その内周面の上端縁から外側に向かって下り傾斜状に傾斜する内周傾斜面（第１傾斜面）２１ｃが形成されている。また、上記横壁２１ａ上には、上記レフィルケース１の周側壁１１と縦壁２１ｂとの間に嵌着された状態で、略四角形環状のパッキン１８が載置されている。したがって、この実施の形態では、レフィル蓋２にパッキン１８を設けていない。また、上記レフィルケース１には、その外周側壁２１の後端中央部の外周面から後方に向かって左右一対の突片１３が突設されており、これら両突片１３間に円柱状のヒンジ軸１３ａが架設されている。このヒンジ軸１３ａの軸心１３ｂの高さは、上記レフィルケース１の上端面１ｃと略同じ高さに設定されている。
【００１９】
上記レフィル蓋２の天板部１４の下面（の上記隙間に対応する部分）から、上記隙間に挿入しうる周側壁２２が突設されており、この周側壁２２の外周面の全体（すなわち、外周面の上端縁から下端縁に至る部分）が、外側に向かって下り傾斜状に傾斜する外周傾斜面（第２傾斜面）２２ａに形成されている。この外周傾斜面２２ａは、上記レフィルケース１の内周傾斜面２１ｃに対し逆勾配形状に形成されており、閉蓋状態で、上記レフィルケース１の内周傾斜面２１ｃとレフィル蓋２の外周傾斜面２２ａとが着脱自在に係合し、かつ気密状に当接するようにしている。また、上記レフィル蓋２の周側壁２２は、閉蓋状態では、上記パッキン１８の上端面に押圧状に当接しうるようにしている。また、上記レフィル蓋２の天板部１４の後壁中央部の外周面から後方に向かって断面形状略Ｕ字状のヒンジ連結部１６が突設されており、このヒンジ連結部１６が上記レフィルケース１のヒンジ軸１３ａに回動自在で、かつ着脱自在に支受されている。それ以外の部分は上記実施の形態と同様であり、同様の部分には同じ符号を付している。
【００２０】
上記の構成において、閉蓋時には、上記レフィルケース１の外周側壁２１の縦壁２１ｂの内周傾斜面２１ｃがレフィル蓋２の周側壁２２の外周傾斜面２２ａに着脱自在に係合して気密状に当接しており、この当接により上記両傾斜面２１ｃ，２２ａの全周でレフィルケース１の内部が気密状態に保持されている。また、上記パッキン１８の上端面がレフィル蓋２の周側壁２２の下端面に押圧状に当接しており、この当接によってもレフィルケース１の内部が気密状態に保持されている。
【００２１】
上記のように、この実施の形態では、閉蓋時には、レフィルケース１の内周傾斜面２１ｃとレフィル蓋２の外周傾斜面２２ａとの全周でレフィルケース１の内部が気密状態に保持されており、優れた気密性を有する。しかも、パッキン１８の上端面がレフィル蓋２の周側壁２２の下端面に押圧状に当接しており、確実にレフィルケース１内を気密状態に保持することができる。
【００２２】
図５は本発明の気密容器のさらに他の実施の形態を示している。この実施の形態では、レフィルケース１の周側壁１１の外周面にその全周にわたって、この外周面との間に所定の隙間をあけた状態でＬ字状の外周側壁（周側壁）２１が突設されているとともに、この外周側壁２１を構成する縦壁２１ｂの外周面の全周から水平に載置板２４が突設されており、閉蓋状態では、この載置板２４上にレフィル蓋２の周側壁２５の下端面が載置れている。上記外周側壁２１は、上記レフィルケース１の外周面の全周から水平に延びる横壁２１ａと、この横壁２１ａの外周縁部の全周から上方に向かって垂直に延びる縦壁２１ｂとからなっており、この縦壁２１ｂの上部外周面（上記載置板２４より上側部分の外周面）の全体（すなわち、外周面の上端縁から下端縁に至る部分）が、内側に向かって下り傾斜状に傾斜する外周傾斜面（第１傾斜面）２１ｄに形成されている。また、上記外周側壁２１の横壁２１ａ上には、上記レフィルケース１の周側壁１１と縦壁２１ｂとの間に嵌着された状態で、パッキン１８が載置されている。また、上記載置板２４には、その後壁中央部の外周面から後方に向かって左右一対の突片２３が突設されており、これら両突片２３間に円柱状のヒンジ軸２３ａが架設されている。このヒンジ軸２３ａの軸心２３ｂの高さはレフィル蓋２の周側壁２５の下端面と略同じ高さに設定されている。
【００２３】
上記レフィル蓋２の天板部１４の下面（の上記載置板２４に対応する部分）から周側壁２５が垂下しており、この周側壁２５の下端部（すなわち、上記外周傾斜面２１ｄに対応する部分）の外周面の全体に、その外周面の上端縁から下端縁にかけて、内側に向かって下り傾斜状に傾斜する内周傾斜面（第２傾斜面）２５ａが形成されている。この内周傾斜面２５ａは、上記レフィルケース１の外周傾斜面２１ｄに対し逆勾配形状に形成されており、閉蓋状態で、上記レフィルケース１の外周傾斜面２１ｄとレフィル蓋２の内周傾斜面２５ａとが着脱自在に係合し、かつ気密状に当接するようにしている。また、上記レフィル蓋２の天板部１４の下面（の上記パッキン１８に対応する部分）から突設される略四角形環状の環状凸部２６は、閉蓋状態で上記パッキン１８の上端面を押圧するようにしている。また、上記レフィル蓋２の周側壁２５の後壁中央部の外周面から後方に向かって断面形状略Ｕ字状のヒンジ連結部１６が突設されており、このヒンジ連結部１６が上記レフィルケース１のヒンジ軸２３ａに回動自在で、かつ着脱自在に支受されている。それ以外の部分は、図１〜図３に示す実施の形態と同様であり、同様の部分には同じ符号を付している。
【００２４】
上記の構成において、閉蓋時には、上記レフィルケース１の外周側壁２１の縦壁２１ｂの外周傾斜面２１ｄがレフィル蓋２の周側壁２５の内周傾斜面２５ａに着脱自在に係合して気密状に当接しており、この当接により上記両傾斜面２１ｄ，２５ａの全周でレフィルケース１の内部が気密状態に保持されている。また、上記レフィル蓋２の環状凸部２６の下端部がパッキン１８の上端面に押圧状に当接しており、この当接によってもレフィルケース１の内部が気密状態に保持されている。
【００２５】
上記のように、この実施の形態では、閉蓋時には、レフィルケース１の外周傾斜面２１ｄとレフィル蓋２の内周傾斜面２５ａとの全周でレフィルケース１の内部が気密状態に保持されており、優れた気密性を有する。しかも、レフィル蓋２の環状凸部２６によりパッキン１８の上端面がその全周にわたって強い力で押圧されており、確実にレフィルケース１内を気密状態に保持することができる。しかも、上記両傾斜面２１ｄ，２５ａを着脱自在に係合して気密状に当接させているため、上記レフィル蓋２の下端縁が上記外周側壁２１の縦壁２１ｂの上端面より下側に位置していることを目視することで、上記レフィルケース１にレフィル蓋２が固定されていることを確実に確認することができる。
【００２６】
図６は本発明の気密容器のさらに他の実施の形態を示している。この実施の形態では、上記レフィルケース１の周側壁１１の上端部外周面が、その外周面の全周にわたって、かつその外周面の上端縁から下端縁にかけて、内側に向かって下り傾斜状に傾斜する外周傾斜面（第１傾斜面）１１ａに形成されている。また、上記レフィルケース１の周側壁１１の外周面にその全周にわたって、この外周面との間に所定の隙間をあけた状態でＬ字状の外周側壁（周側壁）２８が突設されている。この外周側壁２８は、上記レフィルケース１の外周面の全周から水平に延びる横壁２８ａと、この横壁２８ａの外周縁部の全周から上方に向かって垂直に延びる縦壁２８ｂとからなっており、上記横壁２８ａ上には、上記レフィルケース１の周側壁１１と縦壁２８ｂとの間に嵌着された状態で、パッキン１８が載置されている。また、上記レフィルケース１には、その外周側壁２８の縦壁２８ｂの後壁中央部の外周面から後方に向かって左右一対の突片２３が突設されており、これら両突片２３間に円柱状のヒンジ軸２３ａが架設されている。このヒンジ軸２３ａの軸心２３ｂの高さは、上記レフィル蓋２の周側壁２９の下端面と略同じ高さに設定されている。
【００２７】
上記レフィル蓋２の天板部１４の下面（の上記隙間に対応する部分）から突設される周側壁２９の内周面は、その内周面の上端縁から下端縁にかけて、内側に向かって下り傾斜状に傾斜する内周傾斜面（第２傾斜面）２９ａに形成されている。この内周傾斜面２９ａは、上記レフィルケース１の外周傾斜面１１ａに対し逆勾配形状に形成されており、閉蓋状態で、上記レフィルケース１の外周傾斜面１１ａとレフィル蓋２の内周傾斜面２９ａとが着脱自在に係合し、かつ気密状に当接するようにしている。また、上記レフィル蓋２の周側壁２９の後壁中央部の外周面から後方に向かって断面形状略Ｕ字状のヒンジ連結部１６が突設されており、このヒンジ連結部１６が上記レフィルケース１のヒンジ軸２３ａに回動自在で、かつ着脱自在に支受されている。また、上記周側壁２９は、閉蓋状態でパッキン１８の上端面を押圧するようにしている。それ以外の部分は、図１〜図３に示す実施の形態と同様であり、同様の部分には同じ符号を付している。
【００２８】
上記の構成において、閉蓋時には、上記レフィルケース１の周側壁１１の外周傾斜面１１ａがレフィル蓋２の周側壁２９の内周傾斜面２９ａに着脱自在に係合して気密状に当接しており、この当接により上記両傾斜面１１ａ，２９ａの全周でレフィルケース１の内部が気密状態に保持されている。また、上記パッキン１８の上端面がレフィル蓋２の周側壁２９の下端面に押圧状に当接しており、この当接によってもレフィルケース１の内部が気密状態に保持されている。
【００２９】
上記のように、この実施の形態では、閉蓋時には、レフィルケース１の外周傾斜面１１ａとレフィル蓋２の内周傾斜面２９ａとの全周でレフィルケース１の内部が気密状態に保持されており、優れた気密性を有する。しかも、レフィル蓋２の周側壁２９によりパッキン１８の上端面がその全周にわたって強い力で押圧されており、確実にレフィルケース１内を気密状態に保持することができる。しかも、上記両傾斜面１１ａ，２９ａを着脱自在に係合して気密状に当接させているため、上記レフィル蓋２の下端縁が上記レフィルケース１の上端面より下側に位置していることを目視することで、上記レフィルケース１にレフィル蓋２が固定されていることを確実に確認することができる。
【００３０】
なお、上記各実施の形態では、レフィルケース１の周側壁１１の外周面，外周側壁２１の縦壁２１ｂの内周面もしくは外周面の全周にわたって外周傾斜面１１ａ，１２ａ，２１ｄもしくは内周傾斜面２１ｃを形成し、レフィル蓋２の周側壁１５，２２，２５，２９の内周面もしくは外周面の全周にわたって外周傾斜面２２ａもしくは内周傾斜面１７ａ，２５ａ，２９ａを形成しているが、これに限定するものではなく、上記各周側壁１１，１５，２２，２５，２９、外周側壁２１の縦壁２１ｂの左右両側壁もしくは前後両側壁にだけ形成してもよい。また、上記各実施の形態では、気密容器として、レフィル容器を用い、そのレフィルケース１の化粧料収容凹部１ａに揮発性化粧料３を収容しているが、気密容器として、通常の化粧料容器を用いる場合には、化粧料収容凹部１ａに化粧皿を収容することができる。また、上記各実施の形態では、レフィルケース１およびレフィル蓋２は略四角形に形成されているが、円形等各種の形状に形成してもよい。
【図面の簡単な説明】
【００３１】
【図１】本発明の気密容器の一実施の形態を示す平面図である。
【図２】上記気密容器の断面図である。
【図３】図２のＢ部の拡大断面図である。
【図４】本発明の気密容器の他の実施の形態を示す断面図である。
【図５】本発明の気密容器のさらに他の実施の形態を示す断面図である。
【図６】本発明の気密容器のさらに他の実施の形態を示す断面図である。
【図７】従来例を示す断面図である。
【符号の説明】
【００３２】
１  レフィルケース
１ａ  化粧料収容凹部
２  レフィル蓋
１１，１５  周側壁
１２ａ  外周傾斜面
１７ａ  内周傾斜面
１８  パッキン
【図１】
2006061668.tif 000003
【図２】
2006061668.tif 000004
【図３】
2006061668.tif 000005
【図４】
2006061668.tif 000006
【図５】
2006061668.tif 000007
【図６】
2006061668.tif 000008
【図７】
2006061668.tif 000009